(57)【要約】【課題】レンタル商品をレンタル希望の顧客が、Ｗｅｂを介して容易に最寄りの店舖及び店舗の詳細情報を入手並びに、商品のレンタル状況及び在庫確認、また商品の予約を行うことが出来るレンタル店検索及びレンタル在庫確認・予約システム。【解決手段】１が任意の端末機器を介してＷｅｂに接続し、５又は６を介して８を経由し、Ａの所有する１９とＡから発信される１８との情報を基に８へ反映させ、Ｗｅｂ上で現状の商品レンタル状況及び在庫数の確認が行え、レンタルの予約を行うことが出来るシステムと、Ａとの共有している情報を基に、各地域からＡの詳細情報を検索することが可能なシステムである。５又は６は１からの問い合わせや貸し出し可能期間及び商品返却期日を確認できる手段と、希望の商品を貸出予約する手段と、１から１０またはＡへの問い合わせ手段と、Ｂ・Ｃ・Ｄからの情報を提供する手段と、１から検索されたレンタル店の情報を反映させ表示する手段を有している。【選択図】  図１
2004310715.tif 000002
【特許請求の範囲】
【請求項１】
利用者は任意の利用者の表示部及び操作部を備えたＷＥＢコンピューター（１）に公衆回線（２）または（３）または（４）を介して（５）または（６）のＷｅｂ  Ｓｉｔｅへアクセスし、全国のレンタル店の中から希望レンタル店（Ａ）の所在地や電話番号や交通手段やそのお店の特色及びサービスなどといった店舗情報をデータ管理部（１０）内における顧客データ（１１）、店舗データ（１２）、商品在庫データ（１３）、各商品貸し出し期間データ（１６）の各情報データを（８）（９）（１０）（１７）で構築し（５）（６）へ反映させたＷｅｂ  Ｓｉｔｅで確認・検索・情報収集を行うことが出来る検索システム。
【請求項２】
前記請求項１のシステムにより、レンタル店（Ａ）でのイベントやキャンペーンなどの情報もデータ管理部（１０）とレンタル店（Ａ）とを繋ぐ情報交換用Ｗｅｂ  Ｓｉｔｅ（１８）を用い直接的に観覧している利用者（１）へ（３）（４）もしくは（２）を利用し、告知することが可能な他、ビデオ関連事業者（Ｂ）や映画関連事業者（Ｃ）または音楽関連事業者（Ｃ）などの各種関連事業者による（１４）及び（１５）の各情報またはイベント情報等を（８）を基に（９）（１０）（１７）で構築し（５）または（６）のＷｅｂ  Ｓｉｔｅ告知する事が可能なシステム。
【請求項３】
利用者（１）は表示部および操作部を兼ね備えたＷＥＢコンピューターにおける各通信方法（３）（４）や携帯電話端末機器等を用いたパケット通信機器（２）を利用し、レンタル店（Ａ）並びにＷｅｂ  Ｓｉｔｅ（５）（６）へ会員登録し利用者（１）が希望する事によって、リアルタイムに希望レンタル店の情報を取得することが出来るシステム。
【請求項４】
レンタル店（Ａ）はデータ管理システムセンター（７）と顧客データベース（１９）を介してＷｅｂ  Ｓｉｔｅ（５）（６）に商品在庫数やレンタル状況及び返却予定日を利用者（１）へ開示する事により、利用者（１）は表示部および操作部を兼ね備えたＷＥＢコンピューターと各通信方法（３）（４）や携帯電話端末機器等を用いたパケット通信機器（２）を利用し、Ｗｅｂ  Ｓｉｔｅ（５）または（６）を介してレンタル店（Ａ）のレンタル商品のレンタル状況把握や在庫確認およびレンタル商品の当日レンタル予約をすることが可能なレンタル予約システム。
【発明の詳細な説明】
【０００１】
【発明の属する技術分野】本発明は、公衆電話回線を利用しインターネット上で全国のレンタル店の情報を取得する事が出来るほか、その店舖の商品であるビデオテープ、デジタルビデオディスク（以下ＤＶＤと称す）コンパクトディスク  （以下ＣＤと称す）等の在庫情報確認とそれらの当日レンタル予約の出来るレンタル商品予約システム及び店舖検索システムに関するものである。
【０００２】
【従来の技術】従来、出張・転校・引っ越しやその他の理由での出向先において周辺の情報が皆無に近い状態の土地で最寄りのレンタル店を探すのはなかなか容易なものではなかった。
【０００３】その為、最寄りの店舖を探すのには労力と時間がかかり大変であった。また、見つけたとしてもそのお店の特色やサービス、在庫数や取扱商品または価格などが不明確であった為、入店しなければ明確なものとならなかった。
【０００４】その問題を克服する為、店舖側は時間と労力および莫大な資金を掛けて広告および宣伝をしていた。
【０００５】しかし、店舖側が広告や宣伝をしてもそれを知るのはごく一部であり、結果としてレンタル店として売上の向上を図ったとしても思う様に売上は伸びずアピールもごく一部の限られたものでしかなかった。
【０００６】また、利用客側が慣れない土地で時間と労力をかけ大変な思いをしてレンタル店を見つけたとしても、店内を巡回しながら自分のレンタルしたい商品を探しレジカウンターまで持参し貸し出しの契約を取り交わす必要があった。
【０００７】しかし、前記
【０００６】で述べたように必ずしもレンタルしたい商品が有るわけではなく、レンタルしたい商品が無かったりレンタル中だったりと、必ず希望の商品が見つかるとはかぎらなかった。
【０００８】利用客は特定の商品を借りたい場合再度来店することとなるのだが、その商品がいつ返却されるのか確認を行ったとしても、先に借りた利用客が返却日を延滞する可能性が無い訳ではなく、また返却されても再度来店する時間まで商品が残っているとは限らなかった。
【０００９】その為、利用客側としては後日再度来店し、その時のレンタル状況により判断するしかなかった。
【００１０】
【発明が解決しようとする課題】例えば、出張・転校・引っ越しやその他の理由で出向先において、訪れたばかりの周辺の情報が皆無に近い状態の土地でレンタル店を探すのは大変困難であった。
【００１１】店舗を探す方法としては、電話帳から探し見つける方法があるが、住所や電話番号だけでは現地に着くことも困難である。
【００１２】また、歩いて探す方法もあるが、労力や時間が掛かるだけではなく例えば悪天候の日などは特に大変な労力と多大な時間を要していた。
【００１３】例えレンタル店を見つけることが出来たとしても、新商品および需要の多い商品においては陳列も目立たせるように配置してあり宣伝も多く行っている為判り易く商品も探しやすいのだが、人気が高い為何度来店しても在庫が無く借りられないという状況が多々ある。
【００１４】逆に古い商品になると陳列数を削減していることが多く、商品の陳列の中から借りたい商品を探し出すのは店舗内を巡回しながら時間と労力をかけながら探さなければならない為、大変な作業となる。
【００１５】また、店舗側も常に新しい商品が導入される為、商品配置のレイアウトには時間が掛かるうえ、人件費もその分余分に発生していた。
【００１６】
【課題を解決する為の手段】本発明は、前記２つの問題点を解決する為に、利用客が表示部と操作部を兼ねたパーソナルコンピューターを用い公衆回線を利用したインターネット環境もしくは携帯電話端末を利用したインターネット環境を用いることにより、Ｗｅｂ  Ｓｉｔｅを介してデータ管理システムセンターに登録されている全国各地のレンタル店の中から最寄りのレンタル店を探し出すことができ、データ管理部内の店舗データ及び在庫データと、レンタル店とデータ管理部との情報交換用Ｗｅｂ  Ｓｉｔｅを利用してデータ管理部が得られた情報を、インターネットを経由して利用客が観覧しているＷｅｂ  Ｓｉｔｅに反映させ、レンタル店の所在地・電話番号・そのお店の特色及びサービス・最寄りの駅からの交通手段または簡易地図等から検索することが可能な他、レンタル店のイベントやキャンペーンなどの情報も利用客に提供する事が出来る。また、各関連事業者との提携により新着情報、新作情報、ビデオ情報、映画情報、音楽情報なども提供する事が出来る。この事によって店舗側の広告費削減が可能となる。また、店舗側の顧客データベースとデータ管理システムセンター内における店舗のデータを管理するデータ管理部とレンタル予約状況を管理するレンタル予約処理部とＷｅｂ  Ｓｉｔｅを構築するＷｅｂ構築部とインターネット上に反映させるＷｅｂサーバー機器によって、利用客がレンタル店の商品観覧とレンタル状況と商品在庫数とをリアルタイムに把握する事ができるものとした。
【００１７】また、前記のデータ管理システムセンターと会員番号、パスワード名前、住所、電話番号などの顧客情報を管理する顧客データベースと利用客のインターネット機器により利用客はＷｅｂ  Ｓｉｔｅから商品在庫数を確認し判断してＷｅｂ  Ｓｉｔｅ経由でレンタル店に足を運ぶことなく希望する店舗の希望商品を予約することができるものとした。
【００１８】また、データ管理システムセンター内におけるレンタル予約処理部とデータ管理部内における在庫データとデータ管理部において会員番号、パスワード、名前、住所、電話番号などの顧客情報を管理する顧客データベースと、データ管理部とレンタル店を繋ぐ情報交換用Ｗｅｂ  Ｓｉｔｅを用いてレンタル店内の商品在庫を管理し、前記のデータ管理システムセンターとを連動させ、公衆回線を用いたＷｅｂ  Ｓｉｔｅ並びに携帯電話端末を用いたＷｅｂ  Ｓｉｔｅに反映させ表示するものとした。
【００１９】また、データ管理部とレンタル店を繋ぐ情報交換用Ｗｅｂサーバーとデータ管理部内の店舗データを用いて、店舗の所在地・電話番号・その店舗の特色及びサービス・最寄りの駅からの交通手段または簡易地図等から検索することができ、任意のＷｅｂコンピューターにから接続したＷｅｂ  Ｓｉｔｅに反映させ表示するものとした。
【００２０】
【発明の実態と形態】本発明は、利用者が任意の表示部および操作部を兼ね備えたＷＥＢコンピューターに電話回線または携帯端末機器を利用したインターネット環境を介して、利用者の希望する最寄りのレンタル店情報を検索または収集する際において、レンタル店と、データ管理システムセンターと、レンタル店とデータ管理システムセンター間においてデータのやりとりする情報交換用Ｗｅｂサーバーと、データ管理部内における店舗データと、それらの店舗情報に基づいてＷｅｂ上に反映させる作業を行うＷｅｂ構築部と、Ｗｅｂ上にこれらの情報を反映させるＷｅｂサーバー機器とで構成することにより、周辺の地域情報が皆無に近い状態の土地であっても、Ｗｅｂ  Ｓｉｔｅを通じてレンタル店の所在地・電話番号・その店舗の特色及びサービス・最寄りの駅からの交通手段または簡易地図等から検索することができる。
【００２１】また、前記システムを利用する事により、悪天候であったとしても天候に左右されることなく最寄りのレンタル店を探し出すことができるほか、時間にも左右されることなく検索できる。また、労力も軽減される。
【００２２】前記システムに付加して、各関連事業者からの情報を基に、データ管理部内の新作映画及び公開日等の新着データと、ビデオ新作データとで加工し構成することで新着情報、新作情報、ビデオ情報、映画情報、音楽情報なども提供する事ができ、利用者は常に最新の情報を得ることができる。
【００２３】また、データ管理システムセンター内におけるデータ管理部に属する会員番号、パスワード、名前、住所、電話番号などの顧客情報を管理する顧客データと、在庫データと、各商品の貸し出し機関のデータと、ビデオ新作データと、レンタル予約処理部と、レンタルビデオ店用顧客データベースと、それらの貸し出し情報に基づいてＷｅｂ上に反映させる作業を行うＷｅｂ構築部と、Ｗｅｂ上にこれらの情報を反映させるＷｅｂサーバー機器と、利用者の利用する表示部および操作部を兼ね備えたＷＥＢコンピューターにて構成することにより、レンタル希望の利用客はレンタル店に足を運ぶことなく、Ｗｅｂおよび電話回線を通じてレンタル商品の観覧および在庫の確認をし、同時にレンタル予約をすることができる。
【００２４】また、利用者は電話回線を利用し前記システムを使用することにより、容易に在庫の確認と商品レンタル予約をレンタル店に行く前に行える。
【００２５】
【実施例】以下、本発明の一実例を示す図面に従って説明する。
【００２６】図においてＡは、レンタル店店舗である。
【００２７】Ｂ・Ｃ・Ｄは、情報提供を目的とした各種関連事業者である。
【００２８】７は全てをまとめ、利用者が利用するＷｅｂ  Ｓｉｔｅ内の情報を管理及び修正または更新または構成を行い、Ｓｉｔｅデータへ反映させるデータ管理システムセンターであり、以下の構成から成り立っている。
【００２９】１０はデータ管理システムセンター内において、中枢となるデータ管理部であり、以下の顧客データ１１・店舗データ１２・在庫データ１３・ビデオ新作データ１４・新作映画及び公開日等の新着データおよび各商品の貸し出し期間のデータ１５で構成している。
【００３０】データ管理部内における１１は、顧客の会員番号、パスワード、名前、住所、電話番号などの顧客情報を管理する顧客データである。
【００３１】データ管理部内における１２は、レンタル店Ａの所在地・電話番号・そのお店の特色及びサービス・最寄りの駅からの交通手段または簡易地図等の情報を管理する店舗データである。
【００３２】データ管理部内における１３は、各レンタル店店舗の所持する商品名などの商品情報や、商品数、在庫数などを管理する在庫データ部である。
【００３３】データ管理部内における１４は、レンタル店ＡまたはＢ・Ｃ・Ｄなどの各関連事業者による情報を基に、新作発表された商品の管理をするビデオ新作データ部である。
【００３４】データ管理部内における１５は、Ｂ・Ｃ・Ｄなどの関連事業者による情報を基に、新作映画及び公開日等のデータを管理する新作映画及び公開日等の新着データ管理部である。
【００３５】データ管理部内における１６は、各レンタル店における商品の貸し出し期間等を管理する各商品の貸し出し期間のデータ管理部である。
【００３６】データ管理システムセンター内における１７は、現状のレンタル状況並びに返却予定期日などを管理し、Ｗｅｂ  Ｓｉｔｅ経由で依頼のあったレンタル予約をデータ処理するレンタル予約処理部である。
【００３７】データ管理システムセンター内における９は、データ管理部１０とレンタル予約処理部１７の情報を基に、Ｗｅｂ  Ｓｉｔｅを構築し結果をＷｅｂ上へ反映させるＷｅｂ構築部である。
【００３８】データ管理システムセンター内における８は、Ｗｅｂ構築部９で構築された情報と、レンタル店店舗用顧客データベースの情報を基に、利用者が観覧するＷｅｂ  Ｓｉｔｅへ情報を送る為のＷｅｂサーバー機器である。
【００３９】１８はレンタル店店舗とデータ管理部を繋ぎ情報を交換する為の情報交換用Ｗｅｂ  Ｓｉｔｅである。
【００４０】１９はレンタル店の顧客の会員番号、名前、住所、電話番号などの顧客情報を管理する顧客データベースである。
【００４１】１は、本システムを利用するＷｅｂ  Ｕｓｅｒ（利用客）である。
【００４２】２は携帯電話端末機器等を利用したパケット通信機器を図に表したものである。
【００４３】３は、アナログ回線またはケーブル回線または光通信網等を利用したＡＤＳＬ回線やＶＤＳＬ等のブロードバンド回線を図に表したものである。
【００４４】４は、一般電話回線を利用したアナログ回線やＩＳＤＮ回線等のデジタル回線及びナローバンドを図に表したものである。
【００４５】５は、インターネットで観覧のできる公衆回線用Ｗｅｂ  Ｓｉｔｅであり、表示される内容は携帯電話端末機器専用Ｗｅｂ  Ｓｉｔｅとほぼ同様のものが表示される。
【００４６】６は、インターネットで観覧のできる携帯電話端末機器専用ＷｅｂＳｉｔｅであり、表示される内容は公衆回線用Ｗｅｂ  Ｓｉｔｅとほぼ同様のものが表示される。
【００４７】図２は、レンタル希望の利用客がレンタル予約する際において、Ｗｅｂ上から操作するレンタル予約用ページをＷｅｂ  Ｓｉｔｅ５の表示で示した一実施例である。
【００４８】図３は、レンタル店検索希望の利用客が全国地域別で最寄りのレンタル店を探す際に、本システムを利用しＷｅｂ上から操作するレンタル店地域別検索システム用ページをＷｅｂ  Ｓｉｔｅ５の表示で示した一実施例である。
【００４９】図４は、利用客がＷｅｂを経由し、希望のレンタル店の在庫確認及び商品の検索をする際に操作する、商品検索システムをＷｅｂ  Ｓｉｔｅ５の表示で示した一実施例である。
【００５０】次に、前記構成における作用を説明する。
【００５１】まず一実施例としてレンタル店検索のシステムについて説明する。
【００５２】まず、レンタル店を検索希望の利用客は、利用する機器が４のナローバンドの場合には電話回線を用いインターネットサービスプロバイダー（以下ＩＳＰと称す）のアクセスポイントにダイヤルしインターネット環境に接続した上でＷｅｂ観覧のできるソフトを用いＷｅｂ  Ｓｉｔｅ５に接続する。
【００５３】利用客の利用する機器が３のブロードバンドの場合にはインターネット環境でＷｅｂ観覧のできるソフトを用いＷｅｂ  Ｓｉｔｅ５に接続する。
【００５４】利用客の利用する機器が２の携帯電話端末機器であった場合には、携帯電話端末機器専用Ｗｅｂ  Ｓｉｔｅ６に接続させる。
【００５５】利用客の検索したい地域を都道府県から選び出しそのサイト内の都道府県別検索ページに移動させる。
【００５６】都道府県別で検索すると、予め９で構築していた１２の店舗情報が８のＷｅｂサーバー機器を介して分別される。
【００５７】さらに、都道府県別よりも詳細に市区町村別検索のページ図４にお
いて、最寄りの地域を検索することにより、
【００５１】と同様、１２の店舗情報が反映され、ページ内には図４の様に店舗名および所在地住所が表示される。
【００５８】また、表示された店舗から希望の店舖を選択することにより、より詳細にレンタル店の所在地・電話番号・そのお店の特色及びサービス・最寄りの駅からの交通手段または簡易地図等を１４並びに１６を基として検索できる。
【００５９】その特徴に付加して、その関連事業者Ｂ・Ｃ・Ｄから入手した新着情報を基に、１４または１５及び１６においてその情報を管理し９で構築した情報を、Ｗｅｂサーバー８を介して利用者の観覧できるＷｅｂ  Ｓｉｔｅ５または６に表示することにより情報を開示できる。
【００６０】続いて、一実施例としてレンタル店店舗におけるレンタル商品の検索及び観覧について説明する。
【００６１】利用者は前記同様インターネット環境と接続してＷｅｂ観覧ソフトを用い、Ｗｅｂ  Ｓｉｔｅ５または６を介して表示させることによって、希望するレンタル店店舗に行くことなく、その店舗の商品一覧情報を、ビデオ新作データ１４と店舗データ１２並びに在庫データ１３の情報をＷｅｂ構築部９で構築した情報を基に、Ｗｅｂサーバー機器８を介してＷｅｂ  Ｓｉｔｅ５または６に一実例として挙げた図４のように反映させ利用者は情報収集を行うことができる。
【００６２】また、詳細スイッチを画面上において作動させる事により、ビデオ新作データ１４と店舗データ１２と在庫データ１３の情報をＷｅｂ構築部９で構築した情報を基に、Ｗｅｂサーバー機器８を介して一実例として挙げた図２の様に表示させることが出来、利用者の希望するレンタル店店舗の希望商品の詳細説明と、商品数と、現在庫数と、現レンタル可能数と、レンタル可能期間を利用者はＷｅｂ  Ｓｉｔｅ５または６を介して詳細に情報を得ることができる。
【００６３】また、図２において会員番号入力スペース及びパスワード入力スペース及び商品のレンタル希望可否チェックボックスならびに送信フォームが付属しているが、この時点では会員の照合等行うことなく、誰でも観覧および検索を行うことができる。
【００６４】続いて、一実施例としてレンタル商品のレンタル予約システムについて説明する。
【００６５】当システムによりレンタル店店舗へ行くことなく希望するレンタル商品のレンタル予約することが出来る機能を備えており、その方法は、利用者１が前記同様インターネット利用の出来る環境においてＷｅｂ  Ｓｉｔｅ５または携帯電話端末機器専用のＷｅｂ  Ｓｉｔｅ６に接続しデータ管理部内における顧客データ１１およびレンタル店Ａとデータ管理部をつなぐ情報公開用Ｗｅｂサーバー１８と、レンタル店店舗の所有する顧客データベース１９と、これらの情報を基に希望するレンタル商品の予約を前記一実例として挙げた図２のように表示される送信フォームより会員番号及びパスワードを入力することにより顧客データベース１９及びデータ管理部内顧客データ１１に送信され、会員番号及びパスワードの照合を行い、照合した際においてレンタル予約を行うことが出来る。
【００６６】また、図２で記したレンタル可能数に在庫が０と表している場合においてはレンタル出来る商品数が無いものとし、その場合においてはレンタル希望商品であってもレンタルはできないものとする。
【００６７】図２で記したレンタル可能数が１以上の場合において、レンタル予約を可能とする。
【００６８】利用者が当システムを利用しレンタル商品予約をした場合、その情報はデータ管理部１１に送信された後レンタル予約処理部１７へ対象の顧客と商品名が登録され、レンタル店Ａでは、データ管理部１１から情報交換用Ｗｅｂサーバーを経由し対象の顧客と商品名が登録される。
【００６９】また、前記予約に伴いデータ管理部内における在庫データ部１３において対象の商品について在庫数をマイナス１とし、Ｗｅｂ構築部９でデータを更新しＷＥＢサーバー８を介して利用者側の観覧するＷｅｂ  Ｓｉｔｅ５及び６に反映し、Ｗｅｂ  Ｓｉｔｅ内のレンタルされた商品名の在庫を、例えば１０であった場合マイナス１とし在庫のレンタル可能数を９にすることを行う。
【００７０】そして、最後にレンタル顧客への受付完了連絡として、「レンタルの予約を受付致しました。ご利用有難うございました。」等のアナウンスを表示させ、この時点でレンタル予約が完了する。
【００７１】レンタル予約をした顧客は前記予約により、後にレンタル店Ａへ行き、レンタル店Ａの受付においてレンタル店Ａの登録証などを提示するだけの工程で、レンタル店Ａ及びレンタル予約処理部１７に予約登録されたレンタル希望商品を借りる事ができる。
【００７２】また、当システムを利用し急遽商品を借りる場合においても、店舖側は予め顧客側の希望商品が判別出来ている為準備がしやすく、顧客側においても手間が省け、陳列棚から希望商品を探すなどといった時間を縮小することにもつながる。
【００７３】前述したようにレンタル希望の顧客は、レンタル店Ａへ行かなくても、容易に在庫の検索ができると同時に商品のレンタル予約ができるほか、周辺の情報が皆無に近い状態の土地であっても容易に最寄のレンタル店の情報を入手することができる。
【００７４】また、Ｗｅｂ  Ｓｉｔｅ５及び６内における図２及び図３並びに図４の表示形態や内容、操作方法が変更となっても同様の効果が得られる。
【００７５】
【発明の効果】本発明により、当システムを利用する利用者は、現在居る地点の周囲の情報や状況が皆無に等しい場合においても、現地点からの最寄のレンタル店の所在地・電話番号・そのお店の特色及びサービス・最寄りの駅からの交通手段または簡易地図等から検索することができ、その店舗の情報を得られる事が可能になることで、初めて訪れた土地勘の無い場所や、自分の趣向に合ったレンタル店をＷｅｂ  Ｓｉｔｅ内から容易に探し出すことができる。
【００７６】また、レンタル店においてはレンタル店のイベントやキャンペーンなどの情報も利用客に提供する事が出来る為、新規顧客の獲得や従来の顧客に対しても宣伝および広告としてアピールすることが出来る。
【００７７】その上、前記Ｗｅｂ  Ｓｉｔｅ内に設置されたレンタル商品のレンタル予約システムにより、レンタル希望の顧客は借りたい商品の在庫の有無の情報をリアルタイムに確認できる上、レンタル店に行く前にレンタル希望商品を予め予約することが可能になることで、来店時には希望商品を必ず借りることが可能になる。
【００７８】また、顧客は希望商品について店内を探しまわる必要がなくなるため、時間の効率も良くなり労力も軽減される。
【００７９】一方、レンタル店においては、来客する顧客に対して借りられずに帰るという事も無くなり、至ってはレンタル店利用の顧客に対して迷惑をかけないことが出来る。
【００８０】同じく、レンタル店においては、来店客とＷｅｂ上からの予約と二通りの顧客を掴めるだけでなく、貸し出される商品も予め把握できるため準備も容易にでき商品の回転効率も良くなる。
【００８１】また、店内においてＷｅｂでの予約受付をしている旨を来店客に伝えることで、その店舗の紹介ページへのアクセスが増加するため、それに伴い宣伝効果も上がる。
【００８２】これにより、従来多大な時間及び人手を要していた作業および莫大な宣伝広告費とが軽減される。
【００８３】また、商品陳列スペースが従来よりも大幅に削減することが出来るため、このスペースを多目的として利用することが出来、例えばレンタル種類、数量を増資しそれを保管するスペースとして利用することも可能となる。
【図面の簡単な説明】
【図１】本発明の一実施例を示すレンタルビデオ店検索及びレンタル商品在庫確認・予約システムの構成ブロック図である。
【図２】本発明の一実施例を示すレンタル商品在庫確認・予約システムの表示を示す一実施例図である。
【図３】本発明の一実施例を示すレンタルビデオ店検索の表示を示す一実施例図である。
【図４】本発明の一実施例を示すレンタル店における商品検索の表示を示す一実施例図である。
【符号の説明】
１      Ｗｅｂ  Ｕｓｅｒ（利用者もしくは顧客）
２      携帯電話端末機器専用Ｗｅｂ接続機器
３      パーソナルコンピューターを利用したブロードバンド回線
４      パーソナルコンピューターを利用したナローバンド回線
５      ３または４を使用して接続した公衆回線用Ｗｅｂ  Ｓｉｔｅ
６      ２を使用して接続した携帯電話端末機器専用Ｗｅｂ  Ｓｉｔｅ
７      データ管理システムセンター
８      Ｗｅｂサーバー機器
９      Ｗｅｂ構築部
１０    データ管理部
１１    顧客データ
１２    店舗データ
１３    在庫データ
１４    ビデオ新作データ
１５    新作映画及び公開日等の新着データ
１６    各商品の貸し出し期間のデータ
１７    レンタル予約処理部
１８    情報交換用Ｗｅｂサーバー
１９    レンタル店用顧客データベース
Ａ      レンタル店
Ｂ      ビデオ関連事業者
Ｃ      映画関連業者
Ｄ      音楽関連事業者
【図１】
2004310715.tif 000003
【図２】
2004310715.tif 000004
【図３】
2004310715.tif 000005
【図４】
2004310715.tif 000006